(57)【要約】【課題】遊技媒体の誤検出を容易に、確実に防止することができる遊技機を提供する。【解決手段】検出器３１を有する検出回路３０は、検出系電源（１２Ｖ）から電力が供給される。検出回路３０の出力信号は、信号処理回路４０で処理され、比較器４３で所定レベルと比較される。制御回路１０は、入力端子１１ａを介して入力された比較器４３の出力信号に基づいて検出器３１が遊技媒体を検出しているか否かを判断する。制御回路１０のリセット端子１１ｃには、検出系電源（１２Ｖ）の電圧が低下したことを検出する検出系電源電圧検出回路６１あるいは制御系電源（５Ｖ）の電圧が低下したことを検出する制御系電源電圧検出回路７１の出力信号によってリセットされる。【選択図】        図１
2005000328.tif 000002
【特許請求の範囲】
【請求項１】
遊技媒体を検出する検出器を有する検出回路と、検出回路に電力を供給する検出系電源と、検出回路の出力信号に基づいて遊技機の動作を制御する制御回路と、検出回路に供給される電力の電圧が設定値より低い場合に制御回路をリセットさせる異常検出手段を備えている、遊技機。
【発明の詳細な説明】
【０００１】
【発明の属する技術分野】
本発明は、遊技媒体を検出する検出器を備える遊技機に関し、特に、遊技媒体の誤検出を防止する遊技機に関する。
【０００２】
【従来の技術】
遊技機、例えば、パチンコ機では、遊技球（遊技媒体）が所定の領域の通過や入賞口への入賞等に応答して、種々の制御が行われる。例えば、遊技球の入賞口への入賞に応答して、その入賞口に対応する数の遊技球（賞球）の払い出しを行う。また、遊技球の始動ゲートの通過や始動入賞口への入賞に応答して、抽選を行い、抽選結果に応じた変動図柄や停止図柄を表示装置に表示する。そして、このような種々の制御を行うために、遊技球が所定の領域を通過したことや入賞口に入賞したことを検出する検出器（球検出器）が設けられている。
遊技球の通過や入賞を検出する検出器としては、例えば、磁気式や光学式等の近接スイッチが用いられている。
【０００３】
一般的なパチンコ機における、遊技球の検出に関する構成を図７に示す。
図７において、制御回路２０には、入力回路を介して種々の入力信号が入力端子１１ａ、１１ｂ等に入力される。なお、制御回路２０の電源端子２１ｄには、制御系電源（例えば、５Ｖ）から電力が供給され、リセット端子２１ｃにはリセット信号が入力される。制御回路としては、例えば、パチンコ機全体の動作を制御する主制御回路が用いられる。勿論、他の種々の制御回路を用いることもできる。
図７では、制御回路２０の入力端子２１ａ及び２１ｂには、それぞれ検出回路３０と信号処理回路４０により構成される入力回路、検出回路１３０と信号処理回路１４０により構成される入力回路を介して検出器３１、１３１の出力信号が入力される。検出回路３０と１３０、信号処理回路４０と１４０は同じ構成であるため、検出回路３０と信号処理回路４０について説明する。
なお、制御回路２０、検出回路３０、１３０、信号処理回路４０、１４０等は、通常、基板１０に配設される。勿論、制御回路２０、検出回路３０、１３０、信号処理回路４０、１４０等は１つの基板上に配設してもよいし、複数の基板に個別あるいはグループで配設してもよい。
検出回路３０は、検出系電源（例えば、１２Ｖ）と回路グランドとの間に接続された接続端子３３ａ、３３ｂ、抵抗３２ａ及び３２ｂを有している。この接続端子３３ａ、３３ｂに接続線を介して検出器３１が接続される。すなわち、検出器３１は、固定接点３１ａ及び３１ｂと可動接点３１ｃを有しており、固定接点３１ａ及び３１ｂがそれぞれ接続端子３３ａ、３３ｂに接続される。
抵抗３２ａと３２ｂの接続点（Ａ点）には、検出器３１の検出動作に応じた出力信号が出力される。
ここで、検出器３１は、遊技球を検出していない状態（通常状態）では、可動接点３１ｃにより固定接点３１ａと３１ｂが接続され、遊技球を検出している状態（検出状態）では、可動接点３１ｃにより固定接点３１ａと３１ｂが開放されるように構成されている。すなわち、遊技球を検出していない時には、Ａ点の出力信号は「Ｈ」レベルとなり、遊技球を検出すると、Ａ点の出力信号は「Ｌ」レベルとなる。これにより、検出器３１が遊技球を検出すると、Ａ点にパルス状の「Ｌ」レベル状態が発生する（図５参照）。
このように、検出器３１が遊技球を検出していない状態（通常状態）の時に、Ａ点の出力信号が「Ｈ」レベルとなるように設定しているのは、通常状態時にＡ点の出力信号が「Ｌ」レベルとなるように設定すると、回路グランドを介して流れるノイズ等によってＡ点の出力信号が「Ｈ」レベルとなって、誤検出するのを防止するためである。
【０００４】
信号処理回路４０は、制御系電源（５Ｖ）と回路グランドとの間に接続された抵抗４４ａ、ＮＰＮトランジスタ（スイッチング回路）４１及び抵抗４４ｂを有している。また、抵抗４４ａとＮＰＮトランジスタ４１のコレクタとの接続点（Ｂ点）と制御系電源（５Ｖ）との間に接続されたレベル反転回路（例えば、インバータ）４２を有している。制御系電源（５Ｖ）とレベル反転回路４２との接続点（Ｃ点）の出力信号は、比較器４３の非反転入力端子に入力され、反転入力端子に入力される設定レベルと比較される（レベルの判定）。なお、「レベル」は、２値状態（例えば、［Ｈ］レベルと［Ｌ］レベル）の一方を意味する。
これにより、検出系電源により形成された検出回路３０の出力信号（Ａ点の信号）は、信号処理回路４０によって、制御系電源により形成され、同じレベルの出力信号（Ｃ点の信号）に変換される。
すなわち、検出器３１が遊技球を検出していない状態では、検出回路３０の出力信号（Ａ点の信号）及び信号処理回路４０のＣ点の信号は「Ｈ」レベルにある。一方、検出器３１が遊技球を検出している状態では、検出回路３０の出力信号（Ａ点の信号）及び信号処理回路４０のＣ点の信号は「Ｌ」レベルにある。
なお、検出器３１が遊技機を検出していない状態（通常状態）の時に、信号処理回路４０の出力信号が「Ｈ」レベルとなるように設定しているのは、前述したように回路グランドを介して流れるノイズによって誤検出するのを防止するためである。
【０００５】
制御回路２０は、比較器４３の出力信号に基づいて、検出器３１が遊技球を検出したか否かを判断する。例えば、所定の時間間隔（例えば、４ｍｓ）で行われるタイマ割込処理において、比較器４３の出力信号を判別する。例えば、比較器４３の出力信号が「Ｈ」レベルから「Ｌ」レベルに変化し、「Ｌ」レベルの状態が所定期間継続した場合に、検出器３１が遊技球を検出したことを判別する。
【０００６】
以上のように、一般的なパチンコ機では、検出器３１、１３１が遊技球を検出していない状態では、検出回路３０、１３０の出力信号が「Ｈ」レベルとなり、検出器３１、１３１が遊技球を検出すると、検出器３０、１３０の出力信号が「Ｌ」レベルとなるように設定されている。
このため、検出回路３０、１３０に電力を供給する検出系電源（１２Ｖ）の電圧が何らかの原因（例えば、電源回路の故障や、検出器３１の固定接点３１ａ、３１ｂ間を導体Ｘ等によって瞬間的に不正に短絡させた場合等）で低下すると、検出器３１、１３１が遊技球を検出していない状態で、検出回路３０、１３０の出力信号が「Ｈ」レベルとなり、遊技球を誤検出する可能性がある。
検出系電源（１２Ｖ）の電圧低下等によって遊技球を誤検出する動作を図８により説明する。
制御系電源（例えば、５Ｖ）の電圧が第１設定値より高く、検出系電源（例えば、１２Ｖ）の電圧が第２の設定値より高い場合には、検出器３１が時点ｔ２１〜ｔ２２の間で遊技球を検出すると、時点ｔ２１〜ｔ２２の間、検出回路３０の出力信号（Ａ点の信号）及び信号処理回路４０のＣ点の信号は「Ｌ」レベルとなる。そして、信号処理回路４０の出力信号のレベルが時点ｔ２１で「Ｈ」レベルから「Ｌ」レベルに変化することによって、比較器４３の出力信号が「Ｈ」レベルから「Ｌ」レベルに変化する。これにより、制御回路２０は、遊技球が所定の領域を通過したことあるいは所定の入賞口に入賞したことを検出する。
一方、時点ｔ２３で検出系電源（１２Ｖ）の電圧が第２の設定位置より低くなると、検出器３１が遊技球を検出していないにも関わらず、検出回路３０の出力信号（Ａ点の信号）及び信号処理回路４０のＣ点の信号が「Ｈ」レベルから「Ｌ」レベルに変化する。この時、制御系電源（５Ｖ）の電圧が第２の設定値より高い場合には、制御回路２０は、時点ｔ２３で信号処理回路４０のＣ点の信号、したがって、比較器４３の出力信号が「Ｈ」レベルから「Ｌ」レベルに変化したことを判別し、遊技球が所定領域を通過あるいは所定の入賞口に入賞したことを誤検出する。
そこで、検出回路に電力を供給する検出系電源の電圧を監視し、検出系電源の電圧が所定電圧に満たない場合には、検出回路の出力信号を無視するように構成した遊技機が提案されている。（特許文献１参照）
【０００７】
【特許文献１】
特開平８−７９８号公報
【０００８】
【発明が解決しようとする課題】
従来のパチンコ機では、検出回路に電力を供給する検出系電源の電圧が所定電圧に満たない場合に異常信号を出力し、異常信号が出力されている時には、検出回路から出力される出力信号を無視するように構成するものであるため、ソフトウェア処理が必要である。
しかしながら、遊技球の誤検出防止をソフトウェア処理で対処する方法は、制御回路に負担がかかり、また、プログラムの変更処理も必要である。
そこで、本発明は、ハードウェアで対処することが可能であり、電源の電圧低下や検出器に対する不正による遊技媒体の誤検出を確実に防止することができる遊技機を提供することを目的とする。
【０００９】
【課題を解決するための手段】
前記課題を解決するための本発明の第１発明は、請求項１に記載されたとおりの遊技機である。
請求項１に記載の遊技機では、検出系電源から検出回路に供給される電力の電圧が低下した場合に、検出回路の出力信号に基づいて遊技機の制御を行う制御回路をリセットさせる異常検出手段を備えている。これにより、異常検出手段をハードウェアで構成することができ、検出系電源の電圧低下や検出器に対する不正による誤検出を容易に、確実に防止することができる。
【００１０】
【発明の実施の形態】
以下に、本発明の実施の形態を図面を参照して説明する。
まず、遊技媒体を検出する検出器を備えている遊技機を説明する。
遊技媒体が始動口に入賞することにより、電動役物装置入賞口を遊技媒体が入賞し易い入賞容易状態に短時間制御し、遊技媒体が電動役物装置（可変入賞手段）に設けられている特別入賞口（Ｖ入賞口とも言う）に入賞することにより電動役物装置入賞口を入賞容易状態に長時間制御する特別遊技状態を発生させるパチンコ機（いわゆる、「２種パチンコ機」）の１例を図９により説明する。
図９に示すパチンコ機では、遊技盤面２０１に、電動役物装置２１０、始動入賞口２２０等が設けられている。電動役物装置２１０には、電動役物装置入賞口２１１、遊技球が電動役物装置入賞口２１１に入賞し易い開位置と、入賞し難い閉位置に開閉制御可能な電動役物装置入賞口開閉部材２１２が設けられている。また、電動役物装置２１０には、特別入賞口（Ｖ入賞口）２１３が設けられており、遊技球が特別入賞口に入賞すると、所定回数（ラウンドともいう）まで特別遊技状態を継続させることができる。
さらに、遊技球が始動入賞口２２０に入賞したことを検出する始動入賞球検出器、遊技球が電動役物装置入賞口２１１に入賞したことを検出する電動役物装置入賞球検出器、遊技球が特別入賞口に入賞したことを検出する特別入賞球検出器等の検出器（球検出器）が設けられている。
【００１１】
図９に示すパチンコ機は、以下のように動作する。
始動入賞球検出器から、遊技球が始動入賞口２２０のいずれかに入賞したことを示す検出信号が出力されると、遊技球が始動入賞口２２０に入賞したこと（始動入賞信号）を所定期間記憶するとともに、電動役物装置入賞口開閉部材２１２を短時間開制御する。そして、始動入賞信号を記憶している期間内に、特別入賞球検出器から、遊技球が特別入賞口に入賞したことを示す検出信号が出力されると、電動役物装置入賞口開閉部材２１２を所定時間開閉制御する特別遊技状態を発生させる。なお、遊技球が始動入賞口に入賞したことを検出する所定期間としては、例えば、遊技球の始動入賞口への入賞を検出した時点から、遊技球の始動入賞口への入賞により電動役物装置入賞口開閉部材が開制御されている時間内に電動役物装置入賞口に入賞した遊技球が特別入賞口２１３に入賞する可能性がある最大時間を設定する。
特別遊技状態において、特別入賞球検出器から、遊技球が特別入賞口に入賞したことを示す検出信号が出力されると、特別遊技状態を継続させる。
【００１２】
次に、遊技球が始動入賞口に入賞することにより抽選を行い、抽選結果が当たりである場合に、大入賞口を遊技球が入賞し易い入賞容易状態に制御する特別遊技状態を発生させるパチンコ機（いわゆる、「１種パチンコ機」）の１例を図１０により説明する。
図１０に示すパチンコ機では、遊技盤面３０１に、普通図柄始動ゲート３１１、特別図柄始動入賞口３１２、大入賞口３１３、表示装置３２０等が設けられている。特別図柄始動入賞口３１２には、遊技球が入賞しやすい開位置と、入賞し難い閉位置に開閉制御可能な特別図柄始動入賞口開閉部材（例えば、電動チューリップ）が設けられている。大入賞口３１３には、遊技球が入賞し易い開位置と、入賞し難い閉位置に開閉制御可能な大入賞口開閉部材３１４が設けられている。大入賞口３１３には、特別入賞口（Ｖ入賞口）と、通常入賞口が設けられており、特別遊技状態において遊技球が特別入賞口に入賞すると、所定回数（ラウンド）まで特別遊技状態を発生させることができる。
また、遊技球が始動ゲート３１１を通過したことを検出する普通図柄始動球検出器、遊技球が特別図柄始動入賞口３１２に入賞したことを検出する特別図柄始動球検出器、遊技球が特別入賞口に入賞したことを検出する特別入賞球検出器等の検出器（球検出器）が設けられている。
【００１３】
図１０に示すパチンコ機は、以下のように動作する。
普通図柄始動球検出器から、遊技球が始動ゲート３１１を通過したことを示す検出信号が出力されると、抽選を行い、抽選結果に応じた普通図柄の変動パターンや停止図柄を表示装置３２０に表示する。抽選結果が当たりである場合には、当たりの普通図柄を停止表示した後に、特別図柄始動口開閉部材を短時間開制御する。
特別図柄始動球検出器から、遊技球が特別図柄始動入賞口３１２に入賞したことを示す検出信号が出力されると、抽選を行い、抽選結果に対応する特別図柄の変動パターン及や停止図柄を表示装置３３０に表示する。抽選結果が当たりである場合には、当たりの特別図柄を停止表示した後に、大入賞口開閉部材３１４を所定時間開制御あるいは所定回数開閉制御する特別遊技状態を発生させる。
特別遊技状態において、特別入賞球検出器から、遊技球が特別入賞口に入賞したことを示す検出信号が出力されると、特別遊技状態を継続させる。
【００１４】
このようなパチンコ機に、図７に示したような検出器（遊技球検出器）３１、１３１や入力回路を用いた場合、検出系電源の異常発生や検出器の不正短絡等によって、検出系電源（１２Ｖ）から検出回路３０、１３０に供給される電力の電圧が低下し、制御回路が誤検出する可能性がある。
例えば、１種パチンコ機では、始動入賞口に遊技球が入賞したことを誤検出した場合、始動口への入賞に対する賞球が行われるとともに、抽選が行われる。
一方、２種パチンコ機の場合には、始動入賞口への遊技球の入賞と、電動役物装置の特別入賞口への遊技球の入賞の条件が満足されることによって特別入賞状態が発生する。このため、例えば、検出系電源の異常発生によって各検出回路に供給される電力の電圧が低下することにより遊技球が複数の入賞口（例えば、始動入賞口と特別入賞口）に入賞したことを誤検出し、あるいは、複数の入賞口（例えば、始動入賞口と特別入賞口）に対応する検出器の不正短絡によって遊技球が複数の入賞口に入賞したことを誤検出すると、特別遊技状態が発生し、不正賞球の被害が大きい。
【００１５】
本発明の第１の実施の形態を、図１に示す。本実施の形態は、パチンコ機に適用したものである、また、図１には、遊技球が所定領域を通過したことあるいは所定の入賞口に入賞したことを検出する構成に関するものだけを示している。
本実施の形態では、検出系電源の電圧が低下した場合（例えば、第２の設定値未満になった場合）に、制御回路２０をリセットさせることにより、遊技球の誤検出を防止する。
本実施の形態は、基板１０上に配設された制御回路２０、検出回路３０、１３０、信号処理回路４０、１４０、リセット信号出力回路６０、７０等により構成されている。検出回路３０と信号処理回路４０によって第１の信号入力回路が構成され、検出回路１３０と信号処理回路１４０によって第２の信号入力回路が構成されている。
検出回路３０、信号処理回路４０は、図７に示したものと同じであるため、説明は省略する。
リセット信号出力回路６０、７０は、制御回路２０にリセット信号を出力するためのものである。リセット信号出力回路６０は、制御系電源（５Ｖ）の電圧が第１の設定値より低くなったことを検出する制御系電源電圧検出回路６１を有している。また、リセット信号出力回路７０は、検出系電力（１２Ｖ）の電圧が第２の設定値より低くなったことを検出する検出系電源電圧検出回路７１を有している。
通常、パチンコ機等の遊技機では、制御回路に、リセット端子が設けられているとともに、リセット処理用のプログラムが記憶手段に記憶されている。したがって、本実施の形態を構成する場合には、プログラムを変更する必要はない。
【００１６】
本実施の形態は、以下のように動作する。
制御系電源（５Ｖ）及び検出系電源（１２Ｖ）が正常である場合には、検出器３１が遊技球を検出すると、検出回路３０の出力信号（Ａ点の信号）及び信号処理回路（４０）のＣ点の信号は、「Ｈ」レベルから「Ｌ」レベルに変化する。同時に、比較器４３の出力信号も、「Ｈ」レベルから「Ｌ」レベルに変化する。制御回路１０は、入力端子１１ａに接続されている比較器４３の出力信号が「Ｈ」レベルから「Ｌ」レベルに変化したことにより、検出器３１が配置されている位置を遊技球が通過したことを検出する。
一方、検出系電源（１２Ｖ）に異常が発生したり、検出器３１が不正短絡されると、検出系電源（１２Ｖ）から検出回路３０、１３０に供給される電力の電圧が低下する。検出系電源電圧検出回路７１は、検出系電源（１２Ｖ）から検出回路３０、１３０に供給される電力の電圧が低下したことを検出すると、制御回路２０のリセット端子２１ｃにリセット信号を出力する。
制御回路２０は、リセット端子２１ｃにリセット信号が入力されると、リセット処理を行う。これにより、検出系電源の低下や検出器３１の不正短絡による誤検出を防止することができる。
なお、制御回路２０に電力を供給するための制御系電源（５Ｖ）の電圧が低下した場合には、制御系電源電圧検出回路６１から制御回路２０のリセット端子２１ｃにリセット信号が出力される。
【００１７】
次に、本発明の第２の実施の形態を図２に示す。本実施の形態は、パチンコ機に適用したものである。
本実施の形態では、検出系電源（１２Ｖ）の電圧が低下した場合（例えば、第２の設定値未満となった場合）に、信号処理回路４０の動作を停止させ、検出回路３０の検出信号を出力させないようにする（動作を停止させる）。
本実施の形態では、信号処理回路４０に、入力信号のレベルを反転させるレベル反転回路として、例えば、ゲート端子に供給される制御信号によって作動が制御される制御可能レベル反転回路４５を用いている。
また、制御可能レベル反転回路４５のゲート端子に制御信号を出力する制御信号発生回路８０を設けている、制御信号発生回路８０には、検出系電源（１２Ｖ）の電圧の低下を検出する検出系電源電圧検出回路８１と、ＮＰＮトランジスタ（スイッチング回路）８２等が設けられている。
検出系電源電圧検出回路８１は、検出系電源（１２Ｖ）の電圧が正常の場合（例えば、第２の設定値以上である場合）にＮＰＮトランジスタ８２を導通させる。これにより、制御可能レベル反転回路４５のゲート端子に「Ｌ」レベルの「制御信号が供給され、制御可能レベル反転回路４５は、入力信号のレベルを反転するレベル反転処理を実行する。
一方、検出系電源電圧検出回路８１は、検出系電源（１２Ｖ）の電圧が第２の設定値未満の場合には、ＮＰＮトランジスタ８２を非導通とする。これにより、制御可能レベル反転回路４５のゲート端子に「Ｈ」レベルの制御信号が供給され、制御可能レベル反転回路４５は、動作を停止する。この場合には、信号処理回路４０のＣ点の信号は、検出回路３０の出力信号に関係なく「Ｈ」レベルとなる。すなわち、検出回路３０の出力信号は、信号処理回路４０の出力信号に現われない。これにより、制御回路２０での、遊技球の誤検出を防止することができる。
本実施の形態は、制御可能レベル反転回路と制御回路を設けるだけでよいため、変更作業が簡単である。
【００１８】
第２の実施の形態の動作を、図３により説明する。
制御系電源（５Ｖ）の電圧が第１の設定値以上であり、検出系電源（１２Ｖ）の電圧が第２の設定値以上である場合、時点ｔ１〜ｔ２で検出器３１が遊技球を検出した時の動作は、図８に示した動作と同じである。すなわち、時点ｔ１で信号処理回路４０の出力信号、したがって、比較器１５の出力信号が「Ｈ」レベルから「Ｌ」レベルに変化したことによって検出器３１が遊技球を検出したことを判別する。
一方、時点ｔ３で、制御系電源（５Ｖ）の電圧は第１の設定値以上であるが、検出系電源（１２Ｖ）の電圧が第２の設定値未満となった場合、制御信号発生回路８０から出力される制御信号によって、信号処理回路４０の制御可能レベル反転回路４５が不動作となる。このため、信号処理回路４０のＢ点の信号は、検出回路３０の出力信号（Ａ点の信号）が「Ｌ」レベルに変化することによって「Ｈ」レベルに変化するが、信号処理回路４０のＣ点の信号は変化しない。すなわち、信号処理回路４０のＣ点の信号は、検出系電源（１２Ｖ）の電圧が第２の設定値未満となっても、検出器３１が遊技球を検出していないことを示す「Ｈ」レベルのままである。
これにより、電源の異常あるいは検出器に対する不正短絡等による遊技球の誤検出を防止することができる。
【００１９】
次に、本発明の第３の実施の形態を図４に示す。本実施の形態は、パチンコ機に適用したものである。
本実施の形態では、検出系電源（１２Ｖ）の電圧が低下した場合（例えば、第２の設定値未満となった場合）には、信号処理回路４０でのレベル変換処理をレベル未変換処理に変更させる。
本実施の形態では、例えば、信号処理回路４０に、レベル変換回路４６ａ（例えば、インバータ）及びレベル非変換回路４６ｂ（例えば、アンプ）を設けるとともに、レベル変換回路４６ａとレベル非変換回路４６ｂを切り替える切替回路４７が設けられている。
また、切替回路４７を制御する制御信号を出力する制御信号発生回路９０を設けている。制御信号発生回路９０には、検出系電源（１２Ｖ）の電圧が第２の設定値未満となったことを検出する検出系電源電圧検出回路９１と、ＮＰＮトランジスタ９２等が設けられている。
【００２０】
検出系電源電圧検出回路９１は、検出系電源（１２Ｖ）の電圧が第２の設定値以上の場合にＮＰＮトランジスタ８２を導通させる。これにより、切替回路４７に「Ｌ」レベルの制御信号が供給され、レベル反転回路４６ａが選択される。
一方、検出系電源電圧検出回路９１は、検出系電源（１２Ｖ）の電圧が第２の設定値未満の場合にはＮＰＮトランジスタ９２を非導通とする。これにより、切替回路４７に「Ｈ」レベルの制御信号が供給され、レベル非反転回路４６ｂが選択される。
信号処理回路４０のＣ点の信号は、レベル非反転回路４６ｂが選択されている場合には、レベル反転回路４６ａが選択されている場合と、逆レベルとなる。
また、制御回路２０の入力信号判別方法は変更されていない。このため、制御回路２０は、レベル反転回路４６ａを選択した場合には、検出回路３０の出力信号（Ａ点の信号）が「Ｈ」レベルから「Ｌ」レベルに変化することによって検出器３１が遊技球を検出したことを判別する（例えば、図５の時点ｔ１１）。一方、レベル非反転回路４６ｂを選択した場合には、検出回路３０の出力信号（Ａ点の信号）が「Ｌ」レベルから「Ｈ」レベルに変化することによって検出器３１が遊技球を検出したことを判別する（例えば、図５の時点ｔ１２）。
【００２１】
第３の実施の形態の動作を、図５により説明する。
制御系電源（５Ｖ）の電圧が第１の設定値以上であり、検出系電源（１２Ｖ）の電圧が第２の設定値以上である場合、時点ｔ１１〜ｔ１２で検出器３１が遊技球を検出した時の動作は、レベル反転回路４６ａが選択されているため、図８に示した動作と同じである。すなわち、検出系電源の電圧が第２の設定値以上である通常時には、レベル反転回路４６ａが選択されている。
一方、時点ｔ１３で、制御系電源（５Ｖ）の電圧は第１の設定値以上であるが、検出系電源（１２Ｖ）の電圧が第２の設定値未満となった場合には、レベル非反転回路４６ｂが選択される。すなわち、検出系電源の電圧が第２の設定値未満である異常時には、レベル反転回路４６ｂが選択されている。このため、時点ｔ１３以降は、信号処理回路４０のＣ点の信号は、それまでの変化と反転する。例えば、レベル反転回路４６ａが選択されている場合には、信号処理回路４０のＣ点の信号は、検出器３１が遊技球を検出した時点で「Ｈ」レベルから「Ｌ」レベルに変化し、遊技球を検出しなくなると「Ｌ」レベルから「Ｈ」レベルに変化する。これに対し、レベル非反転回路４６ｂが選択されている場合には、信号処理回路４０の出力信号（Ｃ点の信号）は、検出器３１が遊技球を検出した時点で「Ｌ」レベルから「Ｈ」レベルに変化し、遊技球を検出しなくなると「Ｈ」レベルから「Ｌ」レベルに変化する。
このため、信号処理回路４０の出力信号（Ｃ点の信号）は、図５に示すように、時点ｔ１３で検出系電源（１２Ｖ）の電圧が第２の設定値未満となっても、「Ｈ」レベルのままである。
これにより、電源の異常あるいは検出器に対する不正短絡等による遊技機の誤検出を防止することができる。
なお、通常時にレベル非反転回路４６ｂを選択し、異常時に時にレベル反転回路４６ａを選択するようにしてよい。要は、通常時と異常時で、制御回路２０に入力する信号のレベルを反転すればよい。
【００２２】
次に、本発明の第４の実施の形態を図６に示す。本実施の形態は、パチンコ機に適用したものである。
本実施の形態では、制御回路２０に電力を供給する制御系電源（５Ｖ）１００を、検出用電源（１２Ｖ）を用いて形成している。
制御系電源１００は、電圧変換回路１０１、コンデンサ１０２、ダイオード１０３により構成されている。
電圧変換回路１０１は、検出用電源（１２Ｖ）の電圧を制御系電源（５Ｖ）用に変換し、コンデンサ１０２に蓄積する。そして、コンデンサ１０２から制御回路１０の電源端子１１ｄに電力を供給する。
また、コンデンサ１０２の電力は、ダイオード１０３を介して電圧変換回路１０１に供給されている。
【００２３】
第１〜第３の実施の形態では、検出系電源（１２Ｖ）の電圧の低下を検出系電源電圧検出回路で検出し、検出結果を用いて遊技球の誤検出を防止するようにしている。
これに対し、本実施の形態では、制御回路２０に電力を供給する制御系電源（５Ｖ）を検出系電源（１２Ｖ）から得ることにより、検出系電源（１２Ｖ）の電圧低下による遊技球の誤検出を防止している。すなわち、電源の異常発生や検出器３１の不正短絡等によって検出系電源（１２Ｖ）の電圧が低下すると、検出系電源（１２Ｖ）から制御系電源１００を介して制御回路２０に供給される電力の電圧も低下し、結果的に、制御回路２０による遊技球の検出動作が不能となる。なお、制御系電源の電圧の低下によって、制御回路２０のリセットも行われる。
これにより、電源の異常あるいは検出器に対する不正短絡等による遊技球の誤検出を防止することができる。
【００２４】
ところで、例えば、２種パチンコ機では、前述したように、遊技球が始動入賞口に入賞してから所定期間内に電動役物装置に設けられている特別入賞口に入賞すると特別遊技状態が発生する。このため、このような２種パチンコ機に対して、遊技球が始動入賞口に入賞したことを検出する始動入賞球検出器及び遊技球が特別入賞口に入賞したことを検出する特別入賞球検出器への不正（例えば、不正短絡等）が行われる可能性がある。
このような複数の検出器に対する不正を検出する方法としては、第１〜第３の実施の形態で用いている検出系電源の電圧の低下を検出する方法を用いることができるが、複数の検出器の出力信号に基づいて検出する方法を用いることもできる。
ここで、例えば、検出器の不正短絡が行われると、当該検出器を有する検出回路に電力を供給している検出系電源から電力が供給されている検出回路から遊技球を検出したことを示す出力信号が出力される。一方、通常遊技時には、複数の検出器、例えば、２種パチンコ機における始動入賞球検出器と特別入賞球検出器のように、特定の特典（例えば、特別遊技状態）を遊技者に与えるための条件に設定されている（特定の特典に関連する）複数の検出器が同時に遊技球を検出することはほとんど発生しない。なお、特定の特典を遊技者に与えている時に、特定の特典に関連する複数の検出器（あるいは、検出回路）が同時に遊技球を検出する可能性が高くなるが、制御回路は、特定の特典を遊技者に与えていることを記憶しているため、必要であれば、特定の特典を付与している状態で特定の特典に関連する複数の検出器が同時に遊技球を検出した場合を容易に除外することができる。
したがって、複数の検出器（検出回路）が、遊技球を検出したことを示す出力信号を同時に出力したことを検出することにより、複数の検出器に対する不正による遊技球の誤検出を防止することができる。
なお、「同時」は、同じサンプリングタイム内という意味である。
また、設定時間内に、複数の検出器のそれぞれが遊技球を検出したことを示す出力信号を出力したことを検出することによって複数の検出器に対する不正による遊技球の誤検出を防止するようにしてもよい。この場合、設定時間は、通常の遊技状態では発生し難い時間を設定する。また、遊技球を検出したことを示す出力信号の出力順序は問わない。
【００２５】
本発明は、実施の形態で説明した構成に限定されることなく種々の変更、追加、削除が可能である。
例えば、主制御回路に入力回路を介して信号を入力する場合について説明したが、本発明は、主制御回路以外の種々の制御回路に入力回路を介して信号を入力する場合に適用することができる。
また、入力回路（例えば、検出回路や信号処理回路等）の構成は実施の形態に限定されず種々変更可能である。
また、パチンコ機について説明したが、本発明は、パチンコ機以外の種々の種類の遊技機に適用することができる。
【００２６】
本発明は、以下のように構成することができる。
例えば、「（態様１）遊技媒体を検出する検出器を有する検出回路と、検出回路に接続され、入力信号を処理する信号処理回路と、検出回路に電力を供給する検出系電源と、信号処理回路の出力信号に基づいて遊技機の動作を制御する制御回路と、検出回路に供給される電力の電圧が設定値より低い場合に信号処理回路の動作を停止させる異常検出手段を備えている、遊技機。」として構成することができる。
態様１の遊技機では、検出回路に供給される電力の電圧が設定値より低い場合に、検出回路に接続された信号処理回路の動作を停止させる異常検出手段を備えている。これにより、検出系電源の電圧低下や検出器に対する不正短絡等による遊技媒体の誤検出を容易に、確実に、簡単な構成で防止することができる。
また、「（態様２）遊技媒体を検出する検出器を有する検出回路と、検出回路に接続され、入力信号のレベルを反転させるレベル反転処理を実行する信号処理回路と、検出回路に電力を供給する検出系電源と、信号処理回路の出力信号に基づいて遊技機の動作を制御する制御回路と、検出回路に供給される電力の電圧が設定値より低い場合に信号処理回路にレベル非反転処理を実行させる異常検出手段を備えている、遊技機。」として構成することができる。
態様２の遊技機では、通常状態では、検出回路に接続されている信号処理回路にレベル反転処理を実行させ、検出回路に供給される電力の電圧が設定値より低い場合には、検出回路に接続されている信号処理回路にレベル非反転処理を実行させている。これにより、検出系電源の電圧低下や検出回路の不正短絡等による遊技媒体の誤検出を、容易に、確実に、簡単な構成で防止することができる。
また、「（態様３）請求項１、態様１、２のいずれかの遊技機であって、検出系電源から電力が供給される第１及び第２の検出回路を備え、制御回路は、第１の検出回路の検出器が遊技媒体を検出したことを示す出力信号が出力されてから所定時間内に、第２の検出回路の検出器が遊技媒体を検出したことを示す出力信号が出力された場合に、遊技者に有利な特別遊技状態を発生させる、遊技機。」として構成することができる。
態様３の遊技機では、遊技媒体を検出したことを示す出力信号が第１の検出回路から出力されてから所定時間内に第２の検出回路から出力された場合に特別遊技状態を発生させる遊技機における遊技媒体の誤検出を、容易、確実に防止することができる。
また、「（態様４）遊技媒体を検出する検出器を有する第１及び第２の検出回路と、第１及び第２の検出回路の出力信号に基づいて遊技機の動作を制御する制御回路と、異常検出手段を備え、制御回路は、第１の検出回路の出力信号が遊技媒体を検出したことを示してから所定時間内に、第２の検出回路の出力信号が遊技媒体を検出したことを示した場合に、遊技者に有利な特別遊技状態を発生させ、異常検出手段は、第１及び第２の検出回路の出力信号の一方が遊技媒体を検出したことを示した時点から設定時間内に、他方が遊技媒体を検出したことを示した場合に異常処理を実行する、遊技機。」として構成することができる。
態様４の遊技機では、遊技媒体を検出したことを示す出力信号が第１の検出回路から出力されてから所定時間内に第２の検出回路から出力された場合に特別遊技状態を発生させる遊技機における遊技媒体の誤検出を、容易、確実に防止することができる。
また、「（態様５）態様４に記載の遊技機であって、異常検出手段は制御回路をリセットする、遊技機。」として構成することができる。
態様５に記載の遊技機では、簡単に遊技媒体の誤検出を防止することができる。
また、「（態様６）遊技媒体を検出する検出器を有する第１及び第２の検出回路と、第１及び第２の検出回路に接続され、入力信号を処理する信号処理回路と、信号処理回路から出力される出力信号に基づいて遊技機の動作を制御する制御回路と、異常検出手段を備え、制御回路は、信号処理回路を介した第１の検出回路の出力信号が遊技媒体を検出したことを示してから所定時間内に、信号処理回路を介した第２の検出回路の出力信号が遊技媒体を検出したことを示した場合に、遊技者に有利な特別遊技状態を発生させ、異常検出手段は、信号処理回路を介した第１及び第２の検出回路の出力信号の一方が遊技媒体を検出したことを示した時点から設定時間内に、他方が遊技媒体を検出したことを示した場合に異常処理を実行する、遊技機。」として構成することができる。
態様６の遊技機では、遊技媒体を検出したことを示す出力信号が第１の検出回路から出力されてから所定時間内に第２の検出回路から出力された場合に特別遊技状態を発生させる遊技機における遊技媒体の誤検出を、容易、確実に防止することができる。
また、「（態様７）態様６の遊技機であって、異常検出手段は、信号処理回路の動作を停止させる、遊技機。」として構成することができきる。
態様７の遊技機では、簡単な構成で遊技媒体の誤検出を防止することができる。
また、「（態様８）態様６の遊技機であって、信号処理回路は、入力信号のレベルを反転させるレベル反転処理と入力信号のレベルを反転させないレベル非反転処理のいずれか一方の処理を実行し、異常検出手段は、異常処理時には、信号処理回路に他方の処理を実行させる、遊技機。」として構成することができる。
態様８の遊技機では、簡単な構成で遊技媒体の誤検出を防止することができる。
また、「（態様９）態様４〜８のいずれかに記載の遊技機であって、第１の検出回路に設けられている検出器は、可変入賞手段の開閉部材の開閉動作に関わる始動入賞口に遊技媒体が入賞したことを検出する検出器であり、第２の検出回路に設けられている検出器は、可変入賞手段に設けられている特別入賞口に遊技媒体が入賞したことを検出する検出器である、遊技機。」として構成することができる。
態様９の遊技機では、始動入賞口に遊技媒体が入賞してから所定時間内に特別入賞口に遊技媒体が入賞することにより特別遊技状態を発生させる、例えば、２種パチンコ機等の遊技機における遊技媒体の誤検出を容易に、確実に防止することができる。
また、「（態様１０）遊技媒体を検出する検出器を有する検出回路と、検出回路に電力を供給する検出系電源と、検出回路の出力信号に基づいて遊技機の動作を制御する制御回路と、検出回路に供給する電力より低い電圧の電力を制御回路に供給する制御系電源を備え、制御系電源は、検出系電源から電圧変換回路を介して得ている、遊技機。」として構成することができる。
態様１０の遊技機では、制御系電源を検出系電源から得ている。これにより、検出系電源の異常発生や検出器に対する不正短絡等によって検出系電源の電圧が低下すると、制御回路が不動作となるとともに、リセットされるため、遊技媒体の誤検出を容易、確実に防止することができる。
【００２７】
【発明の効果】
以上説明したように、請求項１に記載の遊技機を用いれば、異常検出手段をハードウェアで構成することができ、検出系電源の電圧低下による誤検出や検出器に対する不正による誤検出を容易に、確実に防止することができる。
【図面の簡単な説明】
【図１】本発明の第１の実施の形態の概略構成図である。
【図２】本発明の第２の実施の形態の概略構成図である。
【図３】本発明の第２の実施の形態の動作を説明する図である。
【図４】本発明の第３の実施の形態の概略構成図である。
【図５】本発明の第３の実施の形態の動作を説明する図である。
【図６】本発明の第４の実施の形態の概略構成図である。
【図７】従来例の概略構成図である。
【図８】従来例の動作を説明する図である。
【図９】２種パチンコ機の１例を示す図である。
【図１０】１種パチンコ機の１例を示す図である。
【符号の説明】
１０  制御回路
２０、１２０  入力回路
３０、１３０  検出回路
３１、１３１  検出器（遊技球検出器）
４０、１４０  信号処理回路
４２、４５、４６ａ  レベル反転回路
４６ｂ  レベル非反転回路
４７  切替回路
５０、１００  制御系電源回路
６０、７０  リセット信号出力回路
８０、９０  制御信号発生回路
１００  制御系電源
２１０  電動役物装置
２１１  電動役物装置入賞口
２１２  電動役物装置入賞口開閉部材
２２０  始動入賞口
２３１  特別入賞口（Ｖ入賞口）
３１１  普通図柄始動ゲート
３１２  特別図柄始動入賞口
３１３  大入賞口
３１４  大入賞口開閉部材
３３０  表示装置
【図１】
2005000328.tif 000003
【図２】
2005000328.tif 000004
【図３】
2005000328.tif 000005
【図４】
2005000328.tif 000006
【図５】
2005000328.tif 000007
【図６】
2005000328.tif 000008
【図７】
2005000328.tif 000009
【図８】
2005000328.tif 000010
【図９】
2005000328.tif 000011
【図１０】
2005000328.tif 000012